(57)【特許請求の範囲】
【請求項１】
横方向に並設かつ立設した面ガラスに直交するように面ガラスの縦辺にリブガラスを設けたガラス板用支持金具において、リブガラスの穿設部の両面に一対配設する凸状球面部を有する凸状球面ワッシャと、該凸状球面ワッシャ内およびリブガラスの穿設部内を遊挿した自在軸と、該自在軸に螺着する一対の凹状球面ナットとからなり、前記一対の凸状球面ワッシャの凸状球面を、一対の凹状球面ナットの凹状球面で摺接可能に挟持することによって、自在軸を回動自在としたことを特徴とするガラス板の支持金具。
【請求項２】
横方向に並設かつ立設した面ガラスに直交するように面ガラスの縦辺にリブガラスを設けたガラス板の支持構造において、面ガラスの突合わせ縦辺近傍の所望の位置で目地を挟んで対となる穿設部に首振り自在な軸部を有する締付金具を設け、リブガラスの穿設部の両面に一対配設する凸状球面部を有する凸状球面ワッシャと、該凸状球面ワッシャ内およびリブガラスの穿設部内を遊挿しかつ前記一対の締付金具と両端で連結する自在軸と、該自在軸に螺着する一対の凹状球面ナットとからなり、前記一対の凸状球面ワッシャの凸状球面を、一対の凹状球面ナットの凹状球面で摺接可能に挟持させることにより、リブガラスの自在軸をリブガラスの穿設部内で回動自在とさせて面ガラスの変位を吸収させたことを特徴とするガラス板の支持構造。
【発明の詳細な説明】
【０００１】
【発明の属する技術分野】
本発明は、リブガラスを補強材として設けたガラス板の支持構造であり、特に面ガラスとリブガラス間を連結する支持金具とその支持構造に関する。
【０００２】
【従来の技術】
ガラス板の支持工法としては、各種の工法が知られており、サッシフレームを表面に出さず構造用シーリング材でガラス板を接着固定するＳＳＧ工法等の他、フレ−ムレスなガラススクリ−ンを構成する工法として、ガラス板の四隅に設けた穿孔部を支持金具で支持する点支持工法や、ガラス板間の縦横の目地部を利用してガラス板に孔明けせず、金具で挟持して支持する点支持工法等が現在良く知られているが、並設した複数枚の面ガラスの縦目地部に補強材としてリブガラス（方立ガラスともいう）を立設させたガラスリブ工法が、現在でも依然として幅広く採用されている。
【０００３】
前記リブガラスを補強材として設けたガラスカーテンウォールは、面ガラスの上辺、下辺を支持するサッシ枠、および面ガラスの縦辺に設けたリブガラスの４辺で面ガラスの面外方向からの風圧荷重を支持しており、さらに面ガラスとリブガラス間に構造用シーリング材を充填させて接着させたものである。
【０００４】
しかしながら、高層ビルの上階においては、ガラススクリーンの面ガラスに加わる面外方向からの正の風圧よりも負圧の方が大きくなるために、面ガラスの割付は、面ガラスとリブガラスの構造用シーリング材の引張許容応力の範囲内とする制約が設けられている。
【０００５】
面ガラスの面外方向からの正圧はもちろん負圧の風荷重等にも耐えられる構造とするために、例えば、実開昭６３−１３２００８号のマイクロフイルムの詳細な説明および図面に示されているように、面ガラスに設けた皿孔部を皿ボルトとナットで締付固定し、さらに該皿ボルトの先端側をボルトとナットでＬ字形の取付金具に連結して、Ｌ字形の取付金具をボルトおよびナットによってリブガラスに固定させた構造が記載されている。
【０００６】
【発明が解決しようとする課題】
しかしながら、地震等による層間変位によって、並設した面ガラスのそれぞれにロッキングが起こると、面ガラスとリブガラス同士がＬ字形金具によって連結固定されているため、ガラス板の金具周辺部分に無理な力が加わり、ガラス板の破損が起き易くなる。
【０００７】
これらの層間変位の発生にも対応できるようにしたガラス板の支持構造としては、例えば、実開平１−７５５０９号公報が開示され、地震発生時にガラス方立がガラス面内方向に傾斜した場合、第１の取付金具がガラス方立に対して傾動するとともに、第２の取付金具が第１の取付金具と摺動することによって、ガラス方立の傾斜が生じても面ガラスにはこの変形力が殆ど伝達されず、面ガラスの破損を生じないようにした構成としたものがある。
【０００８】
しかし、前記実開平１−７５５０９号公報に示されるものは、ガラス板同士を接続する金具の突起部等からなる可動機構が露出して、室内側だけでなく透明なガラス板を通して室外側からも見えるので、外観上見栄えの良いものではなく、透明なガラス板を用いた建築物として好ましいとはものではない。
【０００９】
【課題を解決するための手段】
本発明は、上記問題点の解決を図る、すなわちリブガラスを補強材としたガラス板の支持構造において、面ガラスが面外方向からの正圧、負圧の風圧荷重を受けても面ガラスを確実に支持することができ、また、地震等による層間変位が発生してもガラス板を破損させることがなく、さらに外観上もスリムで見栄えも良いことを目的とするものである。
【００１０】
すなわち本発明は、横方向に並設かつ立設した面ガラスに直交するように面ガラスの縦辺にリブガラスを設けたガラス板用支持金具において、リブガラスの穿設部の両面に一対配設する凸状球面部を有する凸状球面ワッシャと、該凸状球面ワッシャ内およびリブガラスの穿設部内を遊挿した自在軸と、該自在軸に螺着する一対の凹状球面ナットとからなり、前記一対の凸状球面ワッシャの凸状球面を、一対の凹状球面ナットの凹状球面で摺接可能に挟持することによって、自在軸を回動自在としたことを特徴とするガラス板の支持金具である。
【００１１】
あるいは、本発明は、横方向に並設かつ立設した面ガラスに直交するように面ガラスの縦辺にリブガラスを設けたガラス板の支持構造において、面ガラスの突合わせ縦辺近傍の所望の位置で目地を挟んで対となる穿設部に首振り自在な軸部を有する締付金具を設け、リブガラスの穿設部の両面に一対配設する凸状球面部を有する凸状球面ワッシャと、該凸状球面ワッシャ内およびリブガラスの穿設部内を遊挿しかつ前記一対の締付金具と両端で連結する自在軸と、該自在軸に螺着する一対の凹状球面ナットとからなり、前記一対の凸状球面ワッシャの凸状球面を、一対の凹状球面ナットの凹状球面で摺接可能に挟持させることにより、リブガラスの自在軸をリブガラスの穿設部内で回動自在とさせて面ガラスの変位を吸収させたことを特徴とするガラス板の支持構造である。
【００１２】
【発明の実施の形態】
図１に示すように、立設する複数枚の面ガラス１、１、・・を横方向に一列に並設し、該面ガラス１、１、・・に直交するように面ガラス１、１、・・の縦辺にリブガラス２、２、・・を室内側に立設させて設けた。
【００１３】
図１、図２に示すように、前記面ガラス１、１の突合わせ縦辺近傍の所望の位置で、目地６を挟んで対となる左右対称位置にそれぞれ穿設部１ａ、１ａを設け、該穿設部１ａ、１ａに上下左右に首振り自在な軸部２３、２３を有する締付金具２０、２０を設けた。
【００１４】
また、前記リブガラス２において、面ガラス１と当接する側の縦辺近傍位置で、前記面ガラス１に設けた穿設部１ａと略同一高さ位置に穿設部２ａを設け該穿設部２ａに支持金具１０を設けた。
【００１５】
該穿設部２ａには、円筒状のゴムパッキン１１を内接させるとともに、穿孔部２ａの両面には同じくリング状の一対のゴムパッキン１２、１２を介して一対の凸状球面ワッシャ１３、１３を配設し、さらにその外側には一対の凹状球面ナット１４、１４を配設した。また、前記凸状球面ワッシャの凸状面と、前記凹状球面ナットの凹状球面とは略同一曲率を有しており、円弧状に互いに摺動自在である。
【００１６】
前記リブガラス２の穿設部２ａに内接させた円筒状のゴムパッキン１１と、穿設部２ａの両面に配設したゴムパッキン１２、１２、および凸状球面ワッシャ１３、１３内に自在軸１５を遊挿し、該自在軸１５の螺刻部１５ａ、１５ａと凹状球面ナット１４、１４とを螺合させながら、前記凸状球面ワッシャ１３、１３で締付挟持させた。
【００１７】
前記自在軸１５の螺刻部１５ａ、１５ａは、凹状球面ナット１４、１４と螺合する部分だけに設けるようにしたが、２つの螺刻部間を連続して螺刻させたものでも良い。
【００１８】
図４に示すように、凸状球面ワッシャ１３、１３の内側面と、自在軸１５の外周面間には空間部を有しているので、前記凸状球面ワッシャ１３、１３の凸状面と、前記凹状球面ナット１４、１４の凹状球面とが球面に沿って摺動して、凹状球面ナット１４、１４と螺合している自在軸１５は、凸状球面ワッシャ１３の内径範囲内で傾動が自在である。
【００１９】
前記自在軸１５の両側の端部には、自在軸１５の外周をスライドおよび回動自在な円筒状部材１６、１６を配設させ、該円筒状部材１６、１６は前記締付金具２０、２０の軸部２３、２３と連結させている。
【００２０】
該円筒状部材１６、１６と該軸部２３、２３との連結方法は、それぞれ螺刻部を設けて螺合させれば良い。
【００２１】
前記面ガラス１の穿設部１ａを挟持する締付金具２０は、面ガラス１の室外側より穿設部１ａの内径よりも大径の鍔付きの蓋部を有する締付ボルト２１を穿設部内にリング状の緩衝材２４を介して挿入し、裏面側よりリング状の緩衝材２４を介して配設した締付ナットとを螺合させて、面ガラス１の穿設部１ａを締付挟持した。
【００２２】
該締付ボルト２１の内部には球面状の空間部を有しており、該空間部内に球部を有する軸部２３を嵌入させて、軸部２３が首振り自在となっている。
【００２３】
また、前記面ガラス１の穿設部１ａを室外側に拡径の皿孔とし、締付ボルト２１は該皿孔形状に合った皿ボルト形状としても良い。
【００２４】
面ガラス１、１の突き合わせ縦目地部、および面ガラスとリブガラスの縦辺間には、構造用シーリング材を充填し、各ガラス板同士を接着した。
【００２５】
前記緩衝材２４、パッキン１１、１２としては、ＥＰＤＭ製、ネオプレンゴム、シリコンゴム、バイトンゴム、ウレタンゴム等の耐候性の良い弾性体とするが、屋内で使用する場合には、これに限らない。
【００２６】
また、支持金具１０や締付金具２０はＳＵＳ等の錆びない金属が望ましいが、防錆塗装処理やメッキ等の処理をしたＳＳ材でも良い。
【００２７】
尚、ガラス板Ｇとは強化ガラス、半強化ガラス、未強化ガラスのいずれか、あるいはこれらを組み合わせてＰＶＢやＥＶＡ等の中間膜または樹脂注入で接着した合わせガラス、あるいはまた、前記のガラスに飛散防止樹脂膜を貼着したもの等が対象となる。
【００２８】
以上好適な実施の形態について述べたが、本発明はこれに限定されるものではなく種々の応用が考えられるものである。
【００２９】
また、本発明は屋外用だけでなく室内の間仕切り用としても当然使用することができる。
【００３０】
次いで、本発明のガラス板の支持構造の作用について以下に説明する。
【００３１】
並設した面ガラス１、１、・・の上部枠４側と下部枠５間に地震等による層間変位が矢印ｂに示すように発生し、互いに逆方向に上部枠４と下部枠５の位置ずれが起きると、各面ガラス１、１、・・は、図１の矢印ａ、ａ、・・に示すようにロッキングが発生する。
【００３２】
各面ガラス１、１、・・のロッキングによって、隣接する面ガラス１、１の互いに当接する縦辺同士は互いに上下方向に逆方向に移動することになるので、面ガラス１、１の縦辺近傍に、縦目地を挟んで対となる位置に設けた締付金具２０、２０の取付用の穿設部１ａ、１ａは、片側の穿設部１ａが斜め上方へ、他方の穿設部１ａが斜め下方側に相対的に移動し、対となった穿設部１ａ、１ａが互いに離れる方向に移動しようとする。
【００３３】
本発明の支持金具１０は、傾動自在な自在軸１５の両端に、該自在軸１５の外周をスライドおよび回動自在な円筒状部材１６、１６を配設させ、該円筒状部材１６、１６を前記締付金具２０、２０の軸部２３、２３と連結させているので、縦目地を挟んで対となった穿設部１ａ、１ａに取り付けた締付金具２０、２０が面ガラス１、１のロッキングによって、図２、図３の状態から図４、図５の状態に変化した場合に、締付金具２０、２０と連結している円筒状部材１６、１６が自在軸１５と摺動しながら回転、スライドできるので、層間変位による面ガラス１、１のロッキングと、面ガラス１、１同士を連結する支持金具１０によって面ガラス１、１の穿設部１ａ、１ａに加わる無理な力を解消させることができる。
【００３４】
また、締付金具２０はその内部に球部を備えた首振り自在な軸部２３を有しているので、面ガラス１がロッキングすることによって、面ガラス１の穿設部１ａが上下に移動した時に、前記円筒状部材１６と穿設部１ａ間に移動量にずれがあったとしても、図５に示すように、首振り自在な軸部２３が矢印ｅで示すように上下方向に傾動することによって吸収することができる。
【００３５】
図４に示すように、層間変位によって面ガラス１、１、・・がロッキングすると、面ガラス１、１、・・の縦目地に沿って室内側に直交するように設けたリブガラス２も矢印ｄで示すように傾斜姿勢となるが、面ガラス１、１間の縦目地の左右両側位置に対に設けた穿設部１ａ、１ａに設けた締付金具２０、２０と摺動自在に連結する自在軸１５が、面ガラス１、１のロッキングによって、矢印ｃに示すように傾動しようとするときに、リブガラス２の穿設部２ａを挟持している一対の凸状球面ワッシャ１３、１３の凸状球面と、自在軸１５に螺合している凹状球面ナット１４、１４の凹状球面とが摺接することによって、自在軸１５が上下左右に回動自在とすることができる。
【００３６】
面ガラス板１の穿設部１ａと締付ボルト２１の鍔部間には弾性ゴム等からなる緩衝材２４を配設したので、雨水の室内への浸入を阻止できる。
【００３７】
【発明の効果】
本発明によれば、リブガラスを補強材としたガラス板の支持構造において、面ガラスの面外方向からの正負の風圧荷重を確実にリブガラスに伝えることができ、面ガラスを確実に支持することができる。
【００３８】
また、地震等による層間変位によって、面ガラスがロッキングした場合でも、面ガラスやリブガラスの動きに追従して支持金具が柔軟に変形し、ガラス板の動きを支持金具によって吸収できるので、面ガラスやリブガラス等が破損することがない。
【図面の簡単な説明】
【図１】本発明の支持構造の全体正面図。
【図２】本発明の支持構造の通常時の平断面図。
【図３】本発明の支持構造の通常時の正面図。
【図４】本発明の支持金具が層間変位による回動状態を示す正面図。
【図５】本発明の支持金具が層間変位により回動状態を示す縦断面図。
【符号の説明】
１            面ガラス
１ａ          穿孔部
２            リブガラス
２ａ          穿孔部
４            上部枠
５            下部枠
６            構造用シーリング材
１０            支持金具
１１、１２      パッキン
１３            凸状球面ワッシャ
１４            凹状球面ナット
１５            自在軸
１５ａ          螺刻部
１６            円筒状部材
２０            締付金具
２１            締付ボルト
２２            締付ナット
２３            軸部
２４            緩衝材
【図１】
0003675700.tif 000002
【図２】
0003675700.tif 000003
【図３】
0003675700.tif 000004
【図４】
0003675700.tif 000005
【図５】
0003675700.tif 000006